(57)【要約】【課題】竹刀を適切に把持し続けることが可能となり、以って適切な打突も容易に実現できるとともに竹刀の正しい撓りも得られて安全性及び耐久性にも優れ且つ見栄えのよい竹刀、並びに適切な打突か否かの判定を確実に行える竹刀を提供することを目的とする。【解決手段】上部側に位置し弦が張られる第一の割子と、第一の割子と対向して下部側に位置する第二の割子と、第一の割子及び第二の割子の両端部に位置する複数の第三の割子とを束ねて成る竹刀であって、第一の割子の表面部は上記第三の割子の表面部とは異なるよう構成したことを特徴とする。【選択図】図１
2014132978.tif 000002
【特許請求の範囲】
【請求項１】
上部側に位置し弦が張られる第一の割子と、
この第一の割子と対向して下部側に位置する第二の割子と、
上記第一の割子及び第二の割子の両端部に位置する複数の第三の割子とを束ねて成る竹刀であって、
上記第一の割子の表面部は上記第三の割子の表面部とは異なるよう構成したことを特徴とする竹刀。
【請求項２】
上記第二の割子の表面部は、上記第三の割子の表面部とは異なるよう構成したことを特徴とする請求項１記載の竹刀。
【請求項３】
上記第一及び第二の割子の材質は、上記第三の割子の材質とは異なることを特徴とする請求項２記載の竹刀。
【請求項４】
上部側に位置し弦が張られる第一の割子と、
この第一の割子と対向して下部側に位置する第二の割子と、
上記第一の割子及び第二の割子の両端部に位置する複数の第三の割子とを束ねて成る竹刀であって、
上記第三の割子の表面部は、上記他の割子の表面部とは異なるよう構成したことを特徴とする竹刀。
【発明の詳細な説明】
【技術分野】
【０００１】
本発明は、剣道に用いられる竹刀、特に竹刀の構成部材である割子の改善を図った竹刀に関する。
【背景技術】
【０００２】
元来、竹刀は、例えば縦に８分割した竹片４本を合わせ、牛革などでできた部品で纏めて作られるものであった（これを四つ割り竹刀という。）。剣先から柄までに一本の弦を張り、弦が張られた側を棟（峰ともいう。）、その反対側を刃、左右を鎬に見立て、刀法に則る構造の理解を要するものであった。
即ち、従来、竹刀は、図７に示すように通常天然素材としての竹から成る４本の割子（割竹ともいう。）７１０を、先皮７２０、中結７３０、柄革７４０及び弦７５０を用いることにより束ねて製作されていた。各割子７１０は、略同形状同色同素材であるため、例えば棟側に張られた弦７５０が視認し難い状況にあると、棟側の割子７１０とこの反対側の割子（即ち打突時に高い頻度で使用される割子、即ち刃側の割子）７１０、或いは側面側に位置する割子、即ち鎬側の割子７１０の区別がし難いものであった。また練習や試合の途中で先皮７２０と柄革７４０とが動き弦が捻じれてしまう、若しくは弦の位置が変わってしまうと、いずれの割子７１０が棟側の割子７１０であるかが区別し難くなるという問題が生じた。
このため、剣道の初心者や小学生等の子供たちは、稽古や試合の際、竹刀７００を適切な形で把持しているか否かの確認が難しくなるものであった。而して、竹刀７００の適切な部位にて打突することも難しく且つ正しい撓りを得ることもできなくなるものであった。このように竹刀７００の適切な部位である割子７１０の表面部にて打突をしない場合、打突により生じる力及び負荷は発散されることなく割子７１０にかかるため、竹刀が破損し易くなるという問題もあった。
また、剣道の試合では、竹刀の適切な部位（刃に相当する物打の部位）にて、適切な打突がなされなければ「一本」としての判定はされないものである。しかしながら、瞬時に打突がなされる剣道にあっては、竹刀の動きに時として審判の目が追い付かず、誤判定されることが間々あった。
【０００３】
特許文献１に開示されているように、剣道初心者や幼年者に対して、適切な握りを習得できるよう特殊な竹刀が考案されている。この考案では、押圧接点や表示灯を用いて竹刀の適切な握り方を習得させようとするものである。
【０００４】
しかしながら、この考案は教則本的な素振り専用のものであり、試合や稽古に用いることを想定してなされたものではない。しかも、特殊な仕掛けを要するものであり、その取扱い性、耐久性及び経済性を考慮すると、実用的なものではない。また、試合に於ける誤判定の防止については、何ら開示もされておらず示唆もない。
【先行技術文献】
【特許文献】
【０００５】
【特許文献１】公開実用新案公報実開平６−２６９４５号
【発明の概要】
【発明が解決しようとする課題】
【０００６】
上述したように従来の竹刀にあっては、剣道初心者や子供たち等が適切に竹刀を把持し続けることが難しく、このため適切な打突も難しくなるものであった。また、適切な打突が行い難くなるため、竹刀の正しい撓りを得ることができず竹刀に不必要な負荷がかかり、竹刀が折損したり、割れたり若しくは裂けたりし、これらに基づく人体の損傷事故を引き起こす虞もあった。
また、瞬時に打突がなされる剣道の試合に於いては、竹刀の動きに審判の目が追い付かず、適切な打突がなされたか否かに関し誤判定がされることが間々あった。
【０００７】
そこで本発明は上記事情を考慮してなされたものであり、上述不具合を解消し、竹刀を適切に把持し続けることが可能となり、以って適切な打突も容易に実現できるとともに、竹刀の正しい撓りも得られて安全性及び耐久性にも優れ、且つ見栄えのよい竹刀を提供することを目的とする。
また、本発明は、適切な打突か否かの判定を確実に行える竹刀を提供することを目的とする。
【課題を解決するための手段】
【０００８】
本発明は、上記目的を達成するために以下の通りに構成することを特徴とする。
【０００９】
（１）上部側に位置し弦が張られる第一の割子と、この第一の割子と対向して下部側に位置する第二の割子と、上記第一の割子及び第二の割子の両端部に位置する複数の第三の割子とを束ねて成る竹刀であって、上記第一の割子の表面部は上記第三の割子の表面部とは異なるよう構成したことを特徴とする。
【００１０】
（２）上記（１）の構成にあって、上記第二の割子の表面部は、上記第三の割子の表面部とは異なるよう構成したことを特徴とする。
【００１１】
（３）上記（２）の構成にあって、上記第一及び第二の割子の材質は、上記第三の割子の材質とは異なることを特徴とする。
【００１２】
（４）上記（１）、（２）または（３）の構成にあって、上記第三の割子の表面部の色は、他の割子の表面部の色とは異なることを特徴とする。
【００１３】
（５）上部側に位置し弦が張られる第一の割子と、この第一の割子と対向して下部側に位置する第二の割子と、上記第一の割子及び第二の割子の両端部に位置する複数の第三の割子とを束ねて成る竹刀であって、上記第三の割子の表面部は上記他の割子の表面部とは異なるよう構成したことを特徴とする。
【００１４】
上記構成によれば、刀法に則る竹刀の構造への理解が深まり竹刀を適切に把持し続けることが可能となり、以って適切な打突も容易に実現できるものである。また、適切な打突も容易に実現可能となるので、竹刀の正しい撓りも得られて竹刀に不必要な負荷が加わることもなくなるので、耐久性及び安全性にも優れるという実用的効果を奏するものである。加えて、適切な打突か否かの判定も容易且つ確実に行えるので、誤審の虞も解消できるものである。
【００１５】
しかも上記構成によれば、特に第二の割子は耐久性及び安全性にも優れるので、竹刀が折損し難く、割れ難く且つ裂け難くなるので、人体への損傷事故の低減をも図れるものである。
【００１６】
また、上記構成によれば、従来の割子に複雑な変更を強いるものでもないので、実用的且つ経済的にも有用なものである。
【００１７】
さらに、上記構成によれば、竹刀の見栄えの良さの向上をも図れるものである。
【発明の効果】
【００１８】
本発明によれば、剣道初心者や子供たちであっても、刀法に則る竹刀の構造への理解が深まり竹刀を適切に把持し続けることが可能となり、以って適切な打突も容易に実現できるものである。また、適切な打突も容易に実現可能となるので、竹刀に不必要な負荷が加わることもなくなるので、耐久性及び安全性にも優れるという実用的効果を奏するものである。即ち、割子の表面部にて打突を行えるようになるため、この際に竹刀が適切に撓ってこれにかかる力を分散することにより、竹刀に不必要な負荷がかかることがなくなる。また自然に正しい刃筋にて打突ができるようになるため、剣道初心者や子供たちの上達をサポートすることができる。加えて、適切な打突か否かの判定も容易且つ確実に行えるので、誤審の虞も解消できるものである。さらに、竹刀の見栄えの良さの向上をも図れるものである。
【図面の簡単な説明】
【００１９】
【図１】本発明の第一の実施形態に係る竹刀を概略的に示す全体図。
【図２】同実施形態に係り、竹刀の分解図。
【図３】本発明の第二の実施形態に係る竹刀を概略的に示す全体図。
【図４】同実施形態に係り、竹刀の分解図。
【図５】本発明の第三の実施形態に係る竹刀を概略的に示す全体図。
【図６】同実施形態に係り、竹刀の分解図。
【図７】従来の竹刀を概略的に示す全体図。
【発明を実施するための形態】
【００２０】
以下本発明の実施形態につき、図を参照して説明する。
【００２１】
（第一の実施形態）
図１及び図２は、第一の実施形態に係る竹刀を示している。
竹刀１１０は、天然素材の竹を加工したものであり、上部側１１０ａに位置する第一の割子１１２と、この第一の割子１１２と対向して下部側に位置する第二の割子１１４と、第一の割子１１２及び第二の割子１１４の両端部１１２ａ，１１２ｂ，１１４ａ，１１４ｂに位置する二つの第三の割子１１６，１１６とが束ねられた構成である。即ち、竹刀１１０の先端部１１０ｂには先芯（先ゴムともいう。）１２０が嵌め込まれており、この先芯１２０及び先端部１１０ｂを被覆するよう先革１３０が設けられている。竹刀１１０の握り部分１１０ｃには契１４０が内設され、握り部分１１０ｃの外周囲は柄革１５０にて被覆されている。この柄革１５０と先革１３０とは弦１６０を介して張力が働くよう繋げられている。なお、弦１６０にはその折り返しに小物１７０が用いられている。また、竹刀１１０の先端部１１０ｂから所定の位置（竹刀１１０の全長の四分の一の位置、所謂物打）に中結１８０が設けられており、この中結１８０を〆ることにより竹刀１１０の強度が高められるものである。
而して第一の割子１１２の表面部１１２ｃは、第三の割子１１６の表面部１１６ｃとはその色合いが異なる。即ち、第一の割子１１２の表面部１１２ｃは、燻しにより燻された色合いとなっている。また、この燻により、第一の割子１１２は、他の割子に比べて折損し難く、割れたり若しくは裂けたりし難くなるものである。他方、第三の割子１１６の表面部１１６ｃは、竹の素材そのものの色を活かした色合いである。
【００２２】
上記構成につき、その作用を以下に説明する。
素振り練習、剣道の稽古や試合に於いて竹刀１１０を構える場合、第一の割子１１２が上面となるよう柄革１５０を把持すれば、適切な構えの状態となる。素振り練習中、稽古中或いは試合中に竹刀１１０の握り状態が変化して適切な状態ではなくなった場合は、直ちに第一の割子１１２が上面にくるよう修正すればよいものである。この修正作業は、第一の割子１１２が両端部１１２ａ，１１２ｂに位置する第三の割子１１６とその表面の色を異にしているので、容易に瞬時に行える。
【００２３】
本実施形態によれば、第一の割子１１２を他の割子１１４，１１６とは異なるようその表面部１１２ｃを燻したことにより、刀法に則る竹刀の構造への理解が深まり適切な状態で竹刀１１０を把持し続けることが可能となり、以って適切な打突も容易に実現できるものである。また、竹刀の正しい撓りも得られて適切な打突も容易に実現可能となるので、竹刀に不必要な負荷が加わることもなくなり、耐久性及び安全性にも優れるという実用的効果を奏するものである。加えて、適切な打突か否かの判定も容易且つ確実に行えるので、誤審の虞も解消できるものである。さらに、竹刀の見映えも良く安全性の向上を図れるものである。しかも、竹刀の形状及び重さは従来のものと同等であり、コストを抑えて容易に実現できるので、また試合等でも使用できるので、有用的且つ経済的でもある。
【００２４】
（第二の実施形態）
第二の実施形態について、図３及び図４を参照して説明する。
竹刀２１０は、天然素材の竹を加工したものであり、上部側２１０ａに位置する第一の割子２１２と、この第一の割子２１２と対向して下部側に位置する第二の割子２１４と、第一の割子２１２及び第二の割子２１４の両端部２１２ａ，２１２ｂ，２１４ａ，２１４ｂに位置する二つの第三の割子２１６，２１６とが束ねられた構成である。即ち、竹刀２１０の先端部２１０ｂには先芯（先ゴムともいう。）２２０が嵌め込まれており、この先芯２２０及び先端部２１０ｂを被覆するよう先革２３０が設けられている。竹刀２１０の握り部分２１０ｃには契２４０が内設され、握り部分２１０ｃの外周囲は柄革２５０にて被覆されている。この柄革２５０と先革２３０とは弦２６０を介して張力が働くよう繋げられている。なお、弦２６０にはその折り返しに小物２７０が用いられている。また、竹刀２１０の先端部２１０ｂから所定の位置（竹刀２１０の全長の四分の一の位置、所謂物打）に中結２８０が設けられており、この中結２８０を〆ることにより竹刀２１０の強度が高められるものである。
而して第一の割子２１２の表面部２１２ｃ及び第二の割子２１４の表面部２１４ｃは、第三の割子２１６の表面部２１６ｃとはその色合いが異なる。即ち、第一の割子２１２の表面部２１２ｃ及び第二の割子２１４の表面部２１４ｃは、燻しにより燻された色合いとなっている。また、この燻により、第一の割子２１２及び第二の割子２１４は、第三の割子２１６に比べて折損し難く、割れたり若しくは裂けたりし難くなるものである。他方、第三の割子２１６の表面部２１６ｃは、竹の素材そのものの色を活かした色合いである。
【００２５】
上記構成につき、その作用を以下に説明する。
素振り練習、剣道の稽古や試合に於いて竹刀２１０を構える場合、第一の割子２１２が上面となるよう柄革２５０を把持すれば、適切な構えの状態となる。素振り練習中、稽古中或いは試合中に竹刀２１０の握り状態が変化して適切な状態ではなくなった場合は、直ちに第一の割子２１２が上面にくるよう修正すればよいものである。この修正作業は、第一の割子２１２が両端部２１２ａ，２１２ｂに位置する第三の割子２１６とその表面の色を異にしているので、容易に瞬時に行える。而して、適切な状態に把持された竹刀２１０は、打突の際、第二の割子２１４が相手方の防具に打突することになる。
【００２６】
本実施形態によれば、第一の割子２１２及び第二の割子２１４を他の割子２１６とは異なるようその表面部２１２ｃ，２１４ｃを燻したことにより、刀法に則る竹刀の構造への理解が深まり適切な状態で竹刀２１０を把持し続けることが可能となり、以って適切な打突も容易に実現できるものである。また、竹刀の正しい撓りも得られて適切な打突も容易に実現可能となるので、竹刀２１０に不必要な負荷が加わることもなくなり、耐久性及び安全性にも優れるという実用的効果を奏するものである。加えて、適切な打突か否かの判定も容易且つ確実に行えるので、誤審の虞も解消できるものである。さらに、竹刀２１０の見映えも良く安全性の向上を図れるものである。特に、頻繁に打突に寄与する第二の割子２１４は、従来の割子に比べて折損し難く、割れ難く且つ裂け難いので、耐久性及び安全性の向上を図れ、人体の損傷事故を引き起こすリスク低減をも図れるものである。さらに、竹刀の形状及び重さは従来のものと同等でありコストを抑えて容易に実現できるので、また試合等でも使用できるので、有用的且つ経済的でもある。
【００２７】
（第三の実施形態）
第三の実施形態について、図５及び図６を参照して説明する。
竹刀３１０は、天然素材の竹を加工したものであり、上部側３１０ａに位置する第一の割子３１２と、この第一の割子３１２と対向して下部側に位置する第二の割子３１４と、第一の割子３１２及び第二の割子３１４の両端部３１２ａ，３１２ｂ，３１４ａ，３１４ｂに位置する二つの第三の割子３１６，３１６とが束ねられた構成である。即ち、竹刀３１０の先端部３１０ｂには先芯（先ゴムともいう。）３２０が嵌め込まれており、この先芯３２０及び先端部３１０ｂを被覆するよう先革３３０が設けられている。竹刀３１０の握り部分３１０ｃには契３４０が内設され、握り部分３１０ｃの外周囲は柄革３５０にて被覆されている。この柄革３５０と先革３３０とは弦３６０を介して張力が働くよう繋げられている。なお、弦３６０にはその折り返しに小物３７０が用いられている。また、竹刀３１０の先端部３１０ｂから所定の位置（竹刀３１０の全長の四分の一の位置、所謂物打）に中結３８０が設けられており、この中結３８０を〆ることにより竹刀３１０の強度が高められるものである。
而して第三の割子３１６の表面部３１６ｃは、第一の割子３１２の表面部３１２ｃ及び第二の割子３１４の表面部３１４ｃとはその色合いが異なる。即ち、第三の割子３１６の表面部３１６ｃは、燻しにより燻された色合いとなっている。また、この燻により、第三の割子３１６は、他の割子３１２，３１４に比べて折損し難く、割れたり若しくは裂けたりし難くなるものである。他方、第一の割子３１２の表面部３１２ｃ及び第二の割子３１４の表面部３１４ｃは、竹の素材そのものの色を活かした色合いである。なお、二つの第三の割子３１６の表面部３１６ｃを燻しにより強化したことにより、竹刀３１０としての強度が向上されることになる。
【００２８】
上記構成につき、その作用を以下に説明する。
素振り練習、剣道の稽古や試合に於いて竹刀３１０を構える場合、第一の割子３１２が上面となるよう柄革３５０を把持すれば、適切な構えの状態となる。素振り練習中、稽古中或いは試合中に竹刀３１０の握り状態が変化して適切な状態ではなくなった場合は、直ちに第一の割子３１２が上面にくるよう修正すればよいものである。この修正作業は、第一の割子３１２が両端部３１２ａ，３１２ｂに位置する第三の割子３１６とその表面の色を異にしているので、容易に瞬時に行える。而して、適切な状態に把持された竹刀３１０は、適切な打突を行えるものである。
【００２９】
本実施形態によれば、第三の割子３１６を他の割子３１２，３１４とは異なるようその表面部３１６ｃを燻したことにより、刀法に則る竹刀の構造への理解が深まり適切な状態で竹刀３１０を把持し続けることが可能となり、以って適切な打突も容易に実現できるものである。また、竹刀の正しい撓りも得られて適切な打突も容易に実現可能となるので、竹刀３１０に不必要な負荷が加わることもなくなり、耐久性及び安全性にも優れるという実用的効果を奏するものである。加えて、適切な打突か否かの判定も容易且つ確実に行えるので、誤審の虞も解消できるものである。さらに、竹刀３１０の見映えも良く安全性の向上を図れるものである。しかも、竹刀の形状及び重さは従来のものと同等でありコストを抑えて容易に実現できるので、また試合等でも使用できるので、有用的且つ経済的でもある。
【００３０】
本発明は、上記実施形態に限定されることはなく種々の変形が可能なことは勿論である。上記実施形態にあっては、特定の割子を燻すことにより他の割子とその特色に差を付けていた。しかし、例えば、特殊な塗料を割子に塗布して強度や耐久性を上げるようにして、他の割子と差を付けるようにしてもよいものである。また、割子にカーボンファイバーを用いて差異を付けるようにしてもよいものである。
【符号の説明】
【００３１】
１１０    …竹刀
１１２    …第一の割子
１１２ｃ  …表面部
１１４    …第二の割子
１１６    …第三の割子
２１０    …竹刀
２１２    …第一の割子
２１２ｃ  …表面部
２１４    …第二の割子
２１４ｃ  …表面部
２１６    …第三の割子
３１０    …竹刀
３１２    …第一の割子
３１４    …第二の割子
３１６    …第三の割子
３１６ｃ  …表面部
【図１】
2014132978.tif 000003
【図２】
2014132978.tif 000004
【図３】
2014132978.tif 000005
【図４】
2014132978.tif 000006
【図５】
2014132978.tif 000007
【図６】
2014132978.tif 000008
【図７】
2014132978.tif 000009